(57)【要約】【課題】ラッチ腕部をなくして製品構成が単純で組立て作業が容易で時間が掛からず、且つ低コストのプラグロック組立体を提供する。【解決手段】後方へ向けて突起状のラッチレバーＲＬを備えたプラグＰを受けて保持する開口部２を有するカバー１と、開口部２の上側に配した鍵孔２２に挿通される先端にラッチレバー押圧部材１２を有する鍵１１と、鍵１１の回動により当該ラッチレバー押圧部材１２がラッチレバーＲＬを圧潰して当該ラッチレバーＲＬの前面に配したラッチＲを押し下げるものとすべく、ラッチレバー押圧部材１２とカバー１内部が前後部へ分かれ、後部を前記ラッチレバー押圧部材１２を回動可能とする空間部２３とし、ラッチレバーＲＬに押圧降下できるよう形成して成る。【選択図】図１
2020087603.tif 000002
【特許請求の範囲】
【請求項１】
後方に向けて突起状のラッチレバーを上面に備えたプラグを受けて保持する開口部を下側に有し、先端に前記ラッチレバー押圧部材を突設した鍵を挿脱自在に挿通させる鍵孔を中央分離体を介して前記開口部上側に有する略角筒状のカバーを備え、
前記鍵の回動操作により鍵先端に設けられた前記ラッチレバー押圧部材が当該ラッチレバーを圧潰して前記ラッチレバーに配されたラッチを押し下げるべく、前記中央分離体が前記カバー前方に配設されるとともに、前記カバー後方は空間部に形成され、該空間部まで前記中央分離体の鍵孔に挿通された前記ラッチレバー押圧部材を進めた後、前記ラッチレバー押圧部材を前記空間部内で回動して前記プラグ上面に備えたラッチレバーを上方より押圧降下できるように形成したことを特徴とするプラグロック組立体。
【請求項２】
前記鍵孔に挿通される鍵先端のラッチレバー押圧部材は、略Ｌ字状に屈曲されるとともに、該略Ｌ字状の前記押圧部材の内側を前記プラグ上面に設けられたラッチレバーの接触押圧面に形成してなることを特徴とする請求項１に記載のプラグロック組立体。
【請求項３】
前記中央分離体は、前記カバーの開口部中央上方に係止板部が設けられ、該係止板部の両側下方から前記開口部底面に至るまで円弧状凹部が前記中央分離体の左右対称に設けられ、且つ前記係止板部上面と前記カバー間に中央区劃板が介設されていることを特徴とする請求項１に記載のプラグロック組立体。
【請求項４】
前記カバーの開口部内における両側面内側に、前記中央分離体両側に形成された円弧状凹部と各対応するように円弧状凹部が形成されていることを特徴とする請求項１に記載のプラグロック組立体。
【請求項５】
前記鍵孔は、前記中央分離体の下方両側と前記カバー開口部の内側の両円弧状凹部によって形成された丸孔と、該丸孔の中央上方に連通して前記係止板部中央上面の中央区劃板に至るＬ字孔とで形成されていることを特徴とする請求項１または３に記載のプラグロック組立体。
【請求項６】
前記鍵孔における丸孔は、前記鍵のラッチレバー押圧部材の支持バーが挿脱自在に嵌挿する口径に形成される一方、前記Ｌ字孔は、前記ラッチレバー押圧部材が挿脱自在に嵌挿する形状に適応するよう形成されていることを特徴とする請求項１または５に記載のプラグロック組立体。
【請求項７】
前記鍵孔は、前記中央分離体を介して前記開口部内の両側に一対左右対称となって形成されていることを特徴とする請求項１乃至６の何れかに記載のプラグロック組立体。
【請求項８】
前記鍵は、前記プラグのコードと平行に前記鍵孔の左右いずれかに挿通されることを特徴とする請求項１に記載のプラグロック組立体。
【請求項９】
前記ラッチレバー押圧部材の全長が前記カバー後方の空間部の長さに略対応するものとしたことを特徴とする請求項１または２に記載のプラグロック組立体。
【請求項１０】
前記鍵の回動範囲は、前記ラッチレバーを圧潰しない角度０°から、前記ラッチレバーを圧潰する角度４５°〜９０°であることを特徴とする請求項１に記載のプラグロック組立体。
【請求項１１】
前記鍵の後端には、前記支持バーを介して取っ手を備えたことを特徴とする請求項１または２に記載のプラグロック組立体。
【請求項１２】
前記カバー内の底面には、挿入される前記プラグを引き抜き阻止するため後端部を斜めに切起こしてなる保持ラッチを備えたことを特徴とする請求項１に記載のプラグロック組立体。
【請求項１３】
前記カバー及び鍵はプラスチック製であることを特徴とする請求項１、２、６、８の何れかに記載のプラグロック組立体。
【発明の詳細な説明】
【技術分野】
【０００１】
本発明は、高密度実装のジャックに挿通される鍵付きのプラグにおけるプラグロック組立体に関する。
【背景技術】
【０００２】
従来、一般的に電気的接続部分を「コネクタ」と称する。また、「コネクタ」のオス側を一般的に「プラグ」と称し、メス側を「ジャック」又は「レセプタクル」と称す。このオス側のプラグには後方へ向けて突起状のラッチレバーが備えている。このプラグは、カバーの孔部に挿入されているのが殆どであり、そのカバーには、挿入する下側に傾斜した傾斜面による保持ラッチを備えている。
【０００３】
具体的には特許文献１に示すように、カバーは鍵を受けてラッチ支持面の位置を変更する鍵受部材を備え、鍵受部材は鍵が過度に回転するのを防止する停止面を備えたプラグロック組立体が存在する。
【０００４】
すなわち、このプラグロック組立体は、プラグがカバーの開口部内に位置付けられると、当該プラグがラッチ下方に位置するように位置付け可能なラッチ支持面を備えたカムと、ラッチ腕部を設けたカムラッチとを備え、前記ラッチ支持面がラッチの下方に位置すると当該ラッチ支持面がラッチの下方に対抗し、一方前記カムは停止面及びスロットをさらに有し、前記ラッチ腕部は停止面と当接してカムの移動をほぼ防止する第１位置と、スロット内に位置してカムの移動を可能とする第２位置とで選択的に位置付け可能としたものである。
【先行技術文献】
【特許文献】
【０００５】
【特許文献１】特許第５３２３０７１号公報
【発明の概要】
【発明が解決しようとする課題】
【０００６】
しかしながら、前記した特許文献１においては、ラッチ腕部は停止面と当接してカムの移動をほぼ防止する第１位置と、スロット内に位置してカムの移動を可能とする第２位置とで選択的に位置付け可能としているため、製品構造が複雑で組立て作業に時間が掛かり且つ高コストなものとなるという問題があった。
【０００７】
そこで、本発明は、叙上のような従来存した諸事情に鑑み案出されたもので、ラッチ腕部をなくして、製品構造が単純で組立て作業に時間が掛からず且つ低コストなものとなるプラグロック組立体を提供することを目的とする。
【課題を解決するための手段】
【０００８】
上述した課題を解決するために、本発明にあっては、後方に向けて突起状のラッチレバーを上面に備えたプラグを受けて保持する開口部を下側に有し、先端に前記ラッチレバー押圧部材を突設した鍵を挿脱自在に挿通させる鍵孔を中央分離体を介して前記開口部上側に有する略角筒状のカバーを備え、
前記鍵の回動操作により鍵先端に設けられた前記ラッチレバー押圧部材が当該ラッチレバーを圧潰して前記ラッチレバーに配されたラッチを押し下げるべく、前記中央分離体が前記カバー前方に配設されるとともに、前記カバー後方は空間部に形成され、該空間部まで前記中央分離体の鍵孔に挿通された前記ラッチレバー押圧部材を進めた後、前記ラッチレバー押圧部材を前記空間部内で回動して前記プラグ上面に備えたラッチレバーを上方より押圧降下できるように形成したことを特徴とする。
ことを特徴とする。
【０００９】
前記鍵孔に挿通される鍵先端のラッチレバー押圧部材は、略Ｌ字状に屈曲されるとともに、該略Ｌ字状の前記押圧部材の内側を前記プラグ上面に設けられたラッチレバーの接触押圧面に形成してなることを特徴とする。
【００１０】
前記中央分離体は、前記カバーの開口部中央上方に係止板部が設けられ、該係止板部の両側下方から前記開口部底面に至るまで円弧状凹部が前記中央分離体の左右対称に設けられ、且つ前記係止板部上面と前記カバー間に中央区劃板が介設されていることを特徴とする。
【００１１】
前記カバーの開口部内における両側面内側に、前記中央分離体両側に形成された円弧状凹部と各対応するように円弧状凹部が形成されていることを特徴とする。
【００１２】
前記鍵孔は、前記中央分離体の下方両側と前記カバー開口部の内側の両円弧状凹部によって形成された丸孔と、該丸孔の中央上方に連通して前記係止板部中央上面の中央区劃板に至るＬ字孔とで連設して形成されていることを特徴とする。
【００１３】
前記鍵孔における丸孔は、前記鍵のラッチレバー押圧部材の支持バーが挿脱自在に嵌挿する口径に形成される一方、前記Ｌ字孔は、前記ラッチレバー押圧部材が挿脱自在に嵌挿する形状に適応するよう形成されていることを特徴とする。
【００１４】
前記鍵孔は、前記中央分離体を介して前記開口部内の両側に一対左右対称となって形成されていることを特徴とする。
【００１５】
前記鍵は、前記プラグのコードと平行に前記鍵孔の左右いずれかに挿通されることを特徴とする。
【００１６】
前記ラッチレバー押圧部材の全長が前記カバー後方の空間部の長さに略対応するものとしたことを特徴とする。
【００１７】
前記鍵の回動範囲は、前記ラッチレバーを圧潰しない角度０°から、前記ラッチレバーを圧潰する角度４５°〜９０°であることを特徴とする。
【００１８】
前記鍵の後端には、前記支持バーを介して取っ手を備えたことを特徴とする。
【００１９】
前記カバー内の底面には、挿入される前記プラグを引き抜き阻止するため後端部を斜めに切起こしてなる保持ラッチを備えたことを特徴とする。
【００２０】
前記カバー及び鍵はプラスチック製であることを特徴とする。
【発明の効果】
【００２１】
本発明によれば、製品構造が単純で組立て作業に時間が掛からず且つ低コストなものとなるプラグロック組立体を提供することができ、斯くして廉価な高密度実装のプラグセキュリティシステムを構築可能にする。
【００２２】
すなわち、本発明にあっては、後方に向けて突起状のラッチレバーを上面に備えたプラグを受けて保持する開口部を下側に有し、先端に前記ラッチレバー押圧部材を突設した鍵を挿脱自在に挿通させる鍵孔を中央分離体を介して前記開口部上側に有する略角筒状のカバーを備え、
前記鍵の回動操作により鍵先端に設けられた前記ラッチレバー押圧部材が当該ラッチレバーを圧潰して前記ラッチレバーに配されたラッチを押し下げるべく、前記中央分離体が前記カバー前方に配設されるとともに、前記カバー後方は空間部に形成され、該空間部まで前記中央分離体の鍵孔に挿通された前記ラッチレバー押圧部材を進めた後、前記ラッチレバー押圧部材を前記空間部内で回動して前記プラグ上面に備えたラッチレバーを上方より押圧降下できるように形成したので、簡単な操作で、鍵の回動によりラッチレバー押圧部材がプラグ上方に設けられたラッチレバーを圧潰してラッチを押し下げることかでき、廉価な高密度実装のプラグセキュリティシステムを構築可能にする。
【００２３】
前記鍵孔に挿通される鍵先端のラッチレバー押圧部材は、略Ｌ字状に屈曲されるとともに、該略Ｌ字状の前記押圧部材の内側を前記プラグ上面に設けられたラッチレバーの接触押圧面に形成してなるので、安定してラッチレバーを圧潰することができ、これによってスムーズ且つ確実にラッチを押し下げることができる。
【００２４】
前記中央分離体は、前記カバーの開口部中央上方に係止板部が設けられ、該係止板部の両側下方から前記開口部底面に至るまで円弧状凹部が前記中央分離体の左右対称に設けられ、且つ前記係止板部上面と前記カバー間に中央区劃板が介設されているので、前記カバーと前記中央分離体との２部品の組み合わせで既み、製品構造が単純で組立て作業に時間が掛からず且つ低コスト化が図れる。
【００２５】
前記カバーの開口部内における両側面内側に、前記中央分離体両側に形成された円弧状凹部と各対応するように円弧状凹部が形成されているので、挿通される鍵の口径に合わせて容易に当該鍵孔を製作できる。
【００２６】
前記鍵孔は、前記中央分離体の下方両側と前記カバー開口部の内側の両円弧状凹部によって形成された丸孔と、該丸孔の中央上方に連通して前記係止板部中央上面の中央区劃板に至るＬ字孔とで形成されているので、前記鍵先端のラッチレバー押圧部材（ラッチレバーの押圧接触面を含む）形状を前記鍵孔の形状に適合するよう容易に一体形成することができる。
【００２７】
前記鍵孔における丸孔は、前記鍵のラッチレバー押圧部材の支持バーが挿脱自在に嵌挿する口径に形成される一方、前記Ｌ字孔は、前記ラッチレバー押圧部材が挿脱自在に嵌挿する形状に適応するよう形成されているので、前記ラッチレバー押圧部材の製品構造の簡略化と低コスト化が図れ、且つ操作性に優れたものとすることができる。
【００２８】
前記鍵孔は、前記中央分離体を介して前記開口部内の両側に一対左右対称となって形成されているので、プラグロックが高密度実装された状況に応じて左右鍵孔の何れかを選択でき使い勝手が良いものである。
【００２９】
前記鍵は、プラグのコードと平行に前記鍵孔の左右いずれかに挿通されるので、鍵をプラグと平行に鍵孔のいずれかに纏めることで、プラグのラッチを容易に押し下げ押し上げることができる。
【００３０】
前記ラッチレバー押圧部材の全長が前記カバー後方の空間部の長さに対応するものとしたので、ラッチレバーを確実に押し下げ押し上げることができる。
【００３１】
前記鍵の回動範囲は、前記ラッチレバーを圧潰しない角度０°から、前記ラッチレバーを圧潰する角度４５°〜９０°であるので、ラッチの圧潰が４５°以上で確実に行えるので、そのあとの操作が不要となる。
【００３２】
前記鍵の後端には、平面状の取っ手を備えたので、その取っ手を掴んで容易に鍵の操作がおこなえる。
【００３３】
カバーの内底面には、挿入されるプラグを引き抜き阻止するために、後端部を斜めに切起こした保持ラッチを備えるので、カバーに挿入したプラグを容易にカバー内部に保持すことができる。
【００３４】
カバー及び鍵は全体をプラスチック製で成形してあるので、カバー及び鍵の製造が容易且つ廉価に行えるとともに、軽量化が図れる。
【図面の簡単な説明】
【００３５】
【図１】本発明を実施するための一形態のカバーを示もので、（ａ）は前方上側から見た斜視図、（ｂ）は正面図、（ｃ）は前方下方から見た斜視図、（ｄ）は後方上側から見た斜視図、（ｅ）は背面図、（ｆ）は後方下側から見た斜視図である。
【図２】カバーの断面図を示すもので、（ａ）は図１（ｅ）のＡ−Ａ断面図、（ｂ）は図１（ｅ）のＢ−Ｂ断面図、（ｃ）は図１（ｅ）のＣ−Ｃ断面図である。
【図３】鍵の一例を示すのもで、（ａ）は前方上側から見た斜視図、（ｂ）は側面図、（ｃ）は前方下方から見た斜視図、（ｄ）は平面図、（ｅ）は正面図である。
【図４】カバーの開口部にプラグを挿入した状態のもので、（ａ）は前方上側から見た斜視図、（ｂ）は側面図、（ｃ）は前方下方から見た斜視図、（ｄ）は平面図、（ｅ）は正面図、（ｆ）は（ｅ）のＸ−Ｘ断面図である。
【図５】鍵のロック前ロック部におけるもので、（ａ）は前方上側から見た斜視図、（ｂ）は前方下方から見た斜視図、（ｃ）は側面図、（ｄ）は平面図、（ｅ）は正面図、（ｆ）は（ｅ）のＹ−Ｙ断面図である。
【図６】鍵のロック後ロック部におけるもので、（ａ）は前方上側から見た斜視図、（ｂ）は前方下方から見た斜視図、（ｃ）は側面図、（ｄ）は平面図、（ｅ）は正面図、（ｆ）は（ｅ）のＺ−Ｚ断面図である。
【図７】鍵のロック前のロック部におけるプラグロック組立体を示すもので、（ａ）は側面図、（ｂ）は（ａ）のイ−イ断面図、（ｃ）は（ａ）のロ−ロ断面図である。
【図８】鍵のロック後のプラグロック組立体を示すもので、（ａ）は側面図、（ｂ）は（ａ）のイ−イ断面図、（ｃ）は（ａ）のロ−ロ断面図である。
【図９】ジャック（ＲＪ４５）との嵌合状態を示すもので、（ａ）は鍵のロック部のロック前の断面図、（ｂ）は鍵のロック部のロック後の断面図である。
【発明を実施するための形態】
【００３６】
以下、図面を参照して本発明に係るプラグロック組立体の実施の一形態を詳細に説明する。
【００３７】
本実施形態に係るプラグロック組立体は、プラグＰに装着するプラスチック製の略角筒状のカバー１と、該カバー１に挿入されるプラスチック製の鍵１１とを主要部材として構成されている。
【００３８】
すなわち、図４〜図９に示すように、プラグＰにはその上面に前部から後方に向けてへの字形に突出したラッチレバーＲＬを備え、該ラッチレバーＲＬの付け根付近には左右対称位置にラッチＲを突出形成している。このラッチＲは、ラッチレバーＲＬがジャックＪの先端にあたって下方に押し込まれることで、挿入されるジャックＪの内部にある係止部Ｋに前記ラッチＲが引っ掛けられて係止されるようになっている。なお、図中Ｃは前記プラグＰに接続されたコードを示す。
【００３９】
図１、図２及び図３に示すように、前記カバー１には前後に貫通する矩形状の開口部２を備え、該開口部２の下方にプラグＰを挿入することによって前記ラッチレバーＲＬが押し込まれ、該ラッチレバーＲＬが元の形状に復帰した状態でカバー１は所定位置に保持される。なお、前記開口部２内の底面には、挿入されるプラグＰを引き抜き阻止するため傾斜面によって形成された保持ラッチ３を備えている。
【００４０】
図３に示すように、前記鍵１１は、先端にラッチレバー押圧部材１２を備え、その後端に支持バー１４を介して平面状の取っ手１３を備えている。この鍵１１の詳細については後述する。
【００４１】
前記カバー１の開口部２内の上方中央には中央分離体１５が設置されるとともに、該中央分離体１５の両側には前記鍵１１の挿脱自在に挿通させる鍵孔２２、２２が設けられている。
【００４２】
前記中央分離体１５は、前記カバー１の開口部２上方中央に係止板部１６が水平に設けられ、該係止板部１６の両側下方から前記開口部２の底面に至るまで一対の円弧状凹部１７、１７が前記中央分離体１５の左右対称に設けられ、且つ前記係止板部１６上面と前記カバー１間に垂直な中央区劃板１８が介設して形成されている。
【００４３】
一方、前記カバー１の開口部２内における両側面内側に、前記中央分離体１５の両側に形成された円弧状凹部１７と各対応するように円弧状凹部１９が形成されている。
【００４４】
このようにして前記中央分離体１５の下方両側と前記カバー１の開口部２内側の両円弧状凹部１７、１９によって形成された丸孔２０と、該丸孔２０の中央上方に連通して前記係止板部１６中央上面の中央区劃板１８に至るＬ字孔２１とによって鍵孔２２、２２が形成される。そして、前記鍵孔２２、２２は前記中央分離体１５を介して前記カバー１内の開口部２の上部両側に一対左右対称となって形成される。
【００４５】
また、前記鍵孔２２、２２における丸孔２０は、前記鍵１１のラッチレバー押圧部材１２の支持バー１４が挿脱自在に嵌挿する口径に形成される一方、前記Ｌ字孔２１は、前記ラッチレバー押圧部材１２が挿脱自在に嵌挿する形状に適応するよう形成される。
【００４６】
さらに、前記中央分離体１５は、前記カバー１の開口部２内の前方に配設されるとともに、前記開口部２内の後方に空間部２３が形成されている。この空間部２３は前記中央分離体１５の鍵孔２２に挿通された前記ラッチレバー押圧部材１２を進めた後、前記ラッチレバー押圧部材１２を前記空間部２３内で回動して前記プラグＰの上面に設けられたラッチレバーＲＬを上方より押圧降下できるように形成されている。
【００４７】
そして、前記カバー１の上方は前記中央分離体１５と前記空間部２３とでほぼ中央において前後方向に分かれて形成されており、一方前後カバー１の下方は前記プラグＰが保持されるよう前後方向に貫通して形成されている。
【００４８】
すなわち、前記中央分離体１５は、その係止板部１６と両側の円弧状凹部１７を以って後部と底部が開口する略コ字型状の角筒部２４が内設されており、該角筒部２４は後部の開口から前記プラグＰの上面のラッチレバーＲＬの先端が挿入される一方、底部の開口から前記ラッチレバーＲＬの先端が押圧降下されるようになっている。
【００４９】
而して、前記鍵孔２２に挿通される鍵１１先端のラッチレバー押圧部材１２は、正面視略Ｌ字状に屈曲されるとともに、該略Ｌ字状の前記押圧部材１２の内側を前記プラグＰ上面に設けられたラッチレバーＲＬの接触押圧面１２ａに形成してある。前記鍵１１の後端には、前記支持バー１４を介して取っ手１３を備えている。なお、前記鍵１１は、前記中央分離体１５両側に設けられた左右の鍵孔２２、２２の何れかに挿入されるものであるが前記ラッチレバー押圧部材１２の接触押圧面１２ａの向きに応じて選択される。
【００５０】
前記中央分離体１５の鍵孔２２、２２を突き抜けた後方の空間部２３内に前記鍵１１先端のラッチレバー押圧部材１２が位置した時（ロック解除時）の当該鍵１１の好ましい回動範囲は、前記ラッチレバーＲＬを圧潰しない角度０°から前記ラッチレバーＲＬを圧潰（押圧降下）する角度４５°〜９０°である。
【００５１】
また、既述したように前記カバー１及び鍵１１は全体がプラスチック材にて形成されているが、これら素材全部をプラスチック材である必要はなく、例えば全部または１部を金属等で形成してもよい。
【００５２】
次に、以上のように構成された形態についての使用・動作の一例について説明する。
【００５３】
図５、図６及び図９に示すように、前記ジャックＪの係止部ＫにラッチレバーＲＬ先端のラッチＲが係止されている状態から当該ラッチＲを外す際には、鍵１１がカバー１の前記開口部２の上側の鍵孔２２を突き抜けるまで挿入して当該鍵孔２２後方の空間部２３にラッチレバー押圧部材１２を導入した後、前記鍵１１の先端を取っ手１３を介して自体の手で回して、前記プラグＰ上面に設けたラッチレバーＲＬをラッチレバー押圧部材１２の接触押圧面１２ａにより圧潰する。このさい、前記ラッチレバー押圧部材１２は、前記中央分離体１５に内設された角筒部２４底面の開口を通って降下する。
【００５４】
すなわち、前記ラッチレバー押圧部材１２は水平方向から略垂直方向へと回動してラッチレバーＲＬを下方に圧潰する。これにより、ラッチレバーＲＬ前方のラッチＲが前記ジャックＪの係止部Ｋから外れる。したがって、ジャックＪからプラグＰが容易に取り外すことができる。
【符号の説明】
【００５５】
Ｊ          ジャック
Ｐ          プラグ
ＲＬ        ラッチレバー
Ｒ          ラッチ
Ｋ          係止部
Ｃ          コード
１          カバー
２          開口部
３          保持ラッチ
１１        鍵
１２        ラッチレバー押圧部材
１２ａ      接触押圧面
１３        取っ手
１４        支持バー
１５        中央分離体
１６        係止板部
１７        円弧状凹部
１８        中央区劃板
１９        円弧状凹部
２０        丸孔
２１        Ｌ字孔
２２        鍵孔
２３        空間部
２４        角筒部
【図１】
2020087603.tif 000003
【図２】
2020087603.tif 000004
【図３】
2020087603.tif 000005
【図４】
2020087603.tif 000006
【図５】
2020087603.tif 000007
【図６】
2020087603.tif 000008
【図７】
2020087603.tif 000009
【図８】
2020087603.tif 000010
【図９】
2020087603.tif 000011